(57)【要約】 超音波を用いて口腔内の歯や義歯を効率よく洗浄することができる歯科用超音波洗浄装置を提供すること。 歯科用超音波洗浄装置１は、洗浄対象２６の表面に洗浄液Ｗ１を介して超音波を照射して超音波洗浄を行う。超音波ホーン２４は、超音波振動子２３が発生した超音波を伝搬し、ホーン先端側に設けた振動面２５から超音波を出力する。超音波ホーン２４の振動面２５を包囲するよう液溜め部２７が設けられる。液溜め部２７は、洗浄対象２６の表面と振動面２５との間に洗浄液Ｗ１を一時的に溜める。液溜め部２７と所定間隔を隔てて対峙する状態でキャップ部材３３が配置される。キャップ部材３３内には、吸液口３５を有する吸引チューブ３６が接続される。超音波洗浄に使用した洗浄液Ｗ１がキャップ部材３３から吸引され、吸引チューブ３６を介して口腔外部に排出される。
2013179842.tif 000002
【特許請求の範囲】
【請求項１】
口腔内における洗浄対象としての歯または義歯の表面に洗浄液を介して超音波を照射して超音波洗浄を行う歯科用超音波洗浄装置であって、
前記超音波を発生する超音波振動子と、
前記超音波振動子が発生した前記超音波を先端側に設けた超音波放射面へ伝搬する超音波伝搬体と、
前記超音波放射面を包囲するように設けられ、前記洗浄対象に接触した状態で前記洗浄対象の表面と前記放射面との間に前記洗浄液を一時的に溜めることができる液溜め部と、
前記液溜め部に前記洗浄液を供給する給液管と、
前記液溜め部と所定間隔を隔てて対峙する状態で配置された吸液部を有し、前記超音波洗浄に使用した前記洗浄液を前記吸液部から吸引して排出する吸引管と
を備えたことを特徴とする歯科用超音波洗浄装置。
【請求項２】
前記超音波振動子及び前記超音波伝搬体を収納する主腕部と、前記主腕部先端の前記液溜め部との間に前記洗浄対象を挟み込むことが可能な先端を有する副腕部とを有し、作業者によって把持可能なハンドピースを備え、
前記副腕部の先端に前記吸液部が配置されている
ことを特徴とする請求項１に記載の歯科用超音波洗浄装置。
【請求項３】
前記超音波振動子を駆動するための超音波発振器と、
前記給液管に前記洗浄液を供給するための洗浄液供給装置と、
前記吸引管から前記洗浄液を吸引して排出するための洗浄液吸引排出装置と、
前記液溜め部と前記副腕部の先端との間に前記洗浄対象を挟み込んだことを検知するための検知手段と、
前記検知手段の検知結果に基づいて、前記超音波発振器、前記洗浄液供給装置、及び前記洗浄液吸引排出装置の少なくとも１つを制御する制御装置と
を備えたことを特徴とする請求項２に記載の歯科用超音波洗浄装置。
【請求項４】
前記ハンドピースは、前記副腕部の基端部を前記主腕部に対して回動可能に連結したステープラー型となるように構成されていることを特徴とする請求項２または３に記載の歯科用超音波洗浄装置。
【請求項５】
前記検知手段は、前記副腕部の回動角度を検出してその検出結果を前記制御装置に出力し、
前記制御装置は、前記副腕部の回動角度が設定値以下であるときに前記超音波発振器、前記洗浄液供給装置及び前記洗浄液吸引排出装置を動作させ、前記設定値を超えるときに前記超音波発振器、前記洗浄液供給装置及び前記洗浄液吸引排出装置を停止させる制御を行う
ことを特徴とする請求項４に記載の歯科用超音波洗浄装置。
【請求項６】
前記液溜め部内またはその近傍にて開口し、前記液溜め部内の洗浄液を排出する排液管を備えたことを特徴とする請求項１乃至５のいずれか１項に記載の歯科用超音波洗浄装置。
【請求項７】
前記排液管から前記洗浄液を排出するための洗浄液排出装置と、前記給液管を介した前記洗浄液の単位時間当たりの供給量を測定する供給量測定装置と、前記吸引管を介した前記洗浄液の単位時間当たりの排液量を測定する排液量測定装置とを備え、
前記制御装置は、前記供給量測定装置が測定した前記供給量と前記排液量測定装置が測定した前記排液量とに関する測定データを取り込み、前記供給量に対する前記排液量の割合に応じて、前記洗浄液排出装置を制御する
ことを特徴とする請求項６に記載の歯科用超音波洗浄装置。
【請求項８】
口腔内における洗浄対象としての歯または義歯の表面に洗浄液を介して超音波を照射して超音波洗浄を行う方法であって、
超音波伝搬体の超音波放射面を包囲するように設けられた液溜め部に洗浄液を供給し、その洗浄液を洗浄対象である歯または義歯に接触させた状態で前記洗浄対象の一方側の面と前記放射面との間に前記洗浄液を一時的に溜めるとともに、前記洗浄対象の他方側の面の側から前記洗浄液を吸引するようにして、前記超音波を照射する
ことを特徴とする、超音波による歯または義歯の洗浄方法。
【発明の詳細な説明】
【技術分野】
【０００１】
本発明は、口腔内における歯または義歯の表面に洗浄液を介して超音波を照射して超音波洗浄を行う歯科用超音波洗浄装置、及び超音波による歯または義歯の洗浄方法に関するものである。
【背景技術】
【０００２】
歯科治療においては、超音波振動を利用して歯垢等を除去する超音波スケーラが実用化されている。口腔内において、歯科用インプラントなどの露出部分では、細菌の繁殖が進むが、その露出部分を超音波スケーラで洗浄除去する場合、インプラント表面に超音波スケーラの振動チップが接触することで、逆に浸食が進んでしまうことがある。
【０００３】
これに対して、洗浄水に超音波を伝搬させ、非接触で歯や義歯の表面の洗浄を行う超音波洗浄装置が提案されている（例えば、特許文献１，２参照）。特許文献１の超音波洗浄装置では、超音波放射面を有するノズルに洗浄水を供給し、ノズル端部の吐出口から洗浄水を流出させて歯の表面等と接触させることで、超音波の伝搬路を形成している。そして、ノズルに洗浄水を溜める液溜めモードと、超音波洗浄モードと、高圧洗浄モードとを繰り返し行うことで、効率的な洗浄を行うようにしている。
【０００４】
また、特許文献２の超音波洗浄装置では、ブラシを植設した頭部の中央部に水を溜める凹部を形成し、その凹部の底面に臨ませるかたちで超音波振動子を配設している。さらに、水を溜める凹部には、水を供給する給水口と、水を排出する排出口とが設けられている。
【先行技術文献】
【特許文献】
【０００５】
【特許文献１】特許第４３４９２４５号公報
【特許文献２】特許第３５３４２３７号公報
【発明の概要】
【発明が解決しようとする課題】
【０００６】
ところで、特許文献１の超音波洗浄装置では、超音波洗浄時において口腔内に溜まった洗浄液を排水するための排水装置が設けられていないため、洗浄水を口腔内から定期的に排出する必要がある。このため、特許文献１の超音波洗浄装置では、口腔内の洗浄水を吐き出すための洗面台等がある場所や、専用の排水装置が別途設けられている歯科治療所等で使用する必要があり、洗浄装置の使用場所が限定されてしまう。
【０００７】
また、特許文献１の超音波洗浄装置を用いる場合、ノズルの吐出口に近い歯の表面や義歯の表面は、洗浄液の供給量が比較的少なくても超音波洗浄を行うことは可能である。これに対して、歯や義歯の隙間を超音波洗浄する場合、洗浄水の供給量を増して、ノズルの吐出口から洗浄水を勢いよく噴射する必要がある。さらに、超音波洗浄後に汚れを流し飛ばすために高圧洗浄モードが行われるため、その高圧洗浄モードでは洗浄水が口腔内に大量に供給される。従って、特許文献１の超音波洗浄装置を用いる場合、洗浄水の排水量が多くなり、排水装置の処理能力を高くして排水処理を頻繁に行う必要が生じ、排水処理のコストも増加してしまう。
【０００８】
特許文献２の超音波洗浄装置では、水を溜める凹部に排水口が設けられているため、洗浄時に口腔内に溜まった洗浄水をその排水口から排出することができる。しかしながら、水を溜める凹部には給水口も設けられているため、給水口から供給されて凹部に溜められた水は、歯や義歯の表面に沿って流れて、排水口から排出される。従って、特許文献２の超音波洗浄装置を用いる場合、凹部と対向する側の表面は、超音波が作用して洗浄することができる。これに対し、歯や義歯の隙間には超音波が作用し難く、その隙間の歯垢などの汚れを効率よく除去することが困難である。また、特許文献２の超音波洗浄装置では、水を溜める凹部と歯の表面との間をブラシで囲む構成となっているため、そのブラシの隙間から洗浄水が漏れ出てしまう。この場合、洗浄水の給水量をある程度確保しないと、超音波振動子と歯の表面との間に洗浄水を介在させることが困難となる。そして、ブラシの隙間から洗浄水が漏れて超音波振動子と歯の表面との間に空気が介在してしまうと、歯の表面に超音波が作用しなくなり、洗浄効率が悪化してしまう。
【０００９】
本発明は上記の課題に鑑みてなされたものであり、その目的は、超音波を用いて口腔内の歯や義歯を効率よく洗浄することができる歯科用超音波洗浄装置及び洗浄方法を提供することにある。
【課題を解決するための手段】
【００１０】
上記課題を解決するために、請求項１に記載の発明は、口腔内における洗浄対象としての歯または義歯の表面に洗浄液を介して超音波を照射して超音波洗浄を行う歯科用超音波洗浄装置であって、前記超音波を発生する超音波振動子と、前記超音波振動子が発生した前記超音波を先端側に設けた超音波放射面へ伝搬する超音波伝搬体と、前記超音波放射面を包囲するように設けられ、前記洗浄対象に接触した状態で前記洗浄対象の表面と前記放射面との間に前記洗浄液を一時的に溜めることができる液溜め部と、前記液溜め部に前記洗浄液を供給する給液管と、前記液溜め部と所定間隔を隔てて対峙する状態で配置された吸液部を有し、前記超音波洗浄に使用した前記洗浄液を前記吸液部から吸引して排出する吸引管とを備えたことを特徴とする歯科用超音波洗浄装置をその要旨とする。
【００１１】
請求項１に記載の発明によると、給液管を介して液溜め部に洗浄液が供給され超音波伝搬体先端の超音波放射面と洗浄対象の表面との間に洗浄液が一時的に溜められる。そして、超音波振動子から発生された超音波は超音波伝搬体を伝搬してその放射面から出力され、さらに液溜め部の洗浄液を介して洗浄対象の表面に照射される。この結果、洗浄対象の表面が超音波洗浄される。また、洗浄液は、洗浄対象としての歯や義歯の隙間を通過し、洗浄対象の裏側に配置された吸液部から吸引され吸引管を介して口腔外部に排出される。このとき、洗浄液を伝搬した超音波が歯や義歯の隙間にも作用することで、洗浄対象の表面に加えて側面を効率よく洗浄することができる。
【００１２】
請求項２に記載の発明は、請求項１において、前記超音波振動子及び前記超音波伝搬体を収納する主腕部と、前記主腕部先端の前記液溜め部との間に前記洗浄対象を挟み込むことが可能な先端を有する副腕部とを有し、作業者によって把持可能なハンドピースを備え、前記副腕部の先端に前記吸液部が配置されていることをその要旨とする。
【００１３】
請求項２に記載の発明によれば、ハンドピースにおいて、主腕部に超音波振動子及び超音波伝搬体が収納され、副腕部の先端に吸液部が配置されている。つまり、主腕部において超音波伝搬体の超音波放射面がある先端側に液溜め部が設けられ、それと対峙する副腕部の先端に吸液部が配置される。そして、歯医者などの作業者がハンドピースを把持した状態で、主碗部及び副腕部を操作することにより、その主腕部の先端にある液溜め部と副腕部の先端にある吸液部との間に洗浄対象を挟み込むことができる。この場合、洗浄対象に対して液溜め部を所定の力で抑え付けた場合でも、反対方向から副腕部の先端（吸液部）でその力を支えることができる。このため、洗浄対象に一方向から力が作用して洗浄対象が移動してしまうといった問題を回避することができる。さらに、ハンドピースの主碗部及び副碗部を片手で操作して洗浄対象を挟み込むことができるため、洗浄装置の操作性が向上され、超音波洗浄を確実に行うことができる。
【００１４】
請求項３に記載の発明は、請求項２において、前記超音波振動子を駆動するための超音波発振器と、前記給液管に前記洗浄液を供給するための洗浄液供給装置と、前記吸引管から前記洗浄液を吸引して排出するための洗浄液吸引排出装置と、前記液溜め部と前記副腕部の先端との間に前記洗浄対象を挟み込んだことを検知するための検知手段と、前記検知手段の検知結果に基づいて、前記超音波発振器、前記洗浄液供給装置、及び前記洗浄液吸引排出装置の少なくとも１つを制御する制御装置とを備えたことをその要旨とする。
【００１５】
請求項３に記載の発明によると、液溜め部と副腕部の先端との間に洗浄対象を挟み込んだとき、検知手段によってその旨が検知される。そして、制御装置により、その検知結果に基づいて、超音波発振器、洗浄液供給装置、及び洗浄液吸引排出装置の少なくとも一つが制御される。このようにすると、洗浄対象を挟み込んでその洗浄を行う準備が整ったタイミングで迅速に超音波洗浄を行うことが可能となる。
【００１６】
請求項４に記載の発明は、請求項２または３において、前記ハンドピースは、前記副腕部の基端部を前記主腕部に対して回動可能に連結したステープラー型となるように構成されていることをその要旨とする。
【００１７】
請求項４に記載の発明によれば、作業者がハンドピースを片手で持って副腕部を回動させることにより、液溜め部と副腕部の先端との間に洗浄対象を容易に挟み込むことができ、洗浄作業を迅速に行うことができる。
【００１８】
請求項５に記載の発明は、請求項４において、前記検知手段は、前記副腕部の回動角度を検出してその検出結果を前記制御装置に出力し、前記制御装置は、前記副腕部の回動角度が設定値以下であるときに前記超音波発振器、前記洗浄液供給装置及び前記洗浄液吸引排出装置を動作させ、前記設定値を超えるときに前記超音波発振器、前記洗浄液供給装置及び前記洗浄液吸引排出装置を停止させる制御を行うことをその要旨とする。
【００１９】
請求項５に記載の発明によれば、洗浄対象を挟み込む際の副腕部の回動角度が検知手段によって検出され、その検出結果が検知手段から制御装置に出力される。そして、副腕部の回動角度が設定値以下であるときに、超音波発振器、洗浄液供給装置及び洗浄液吸引排出装置が動作される。一方、副腕部の回動角度が設定値を超えたときには、超音波発振器、洗浄液供給装置及び洗浄液吸引排出装置が停止される。この場合、ハンドピースの副腕部を回動させてその副腕部の先端と液溜め部とによって洗浄対象を挟み込んだときに、超音波洗浄を迅速に行うことができる。また、洗浄対象の挟み込みが解除されたときには、超音波洗浄を迅速に停止することができる。このようにすると、洗浄対象を挟み込む前に誤って洗浄装置を動作させることがなく、無駄な消費電力や洗浄液の使用量を抑えることができる。さらに、洗浄対象以外の部位に超音波が照射されるといった問題も回避することができる。
【００２０】
請求項６に記載の発明は、請求項１乃至５のいずれか１項において、前記液溜め部内またはその近傍にて開口し、前記液溜め部内の洗浄液を排出する排液管を備えたことをその要旨とする。
【００２１】
請求項６に記載の発明によると、副碗部の先端に設けた吸液部から吸引管を介して洗浄液を十分に排出できない場合、主碗部の先端に設けた液溜め部内またはその近傍にて開口する排液管を用いて、洗浄液を口腔外部に排出することができる。このため、口腔内に大量の洗浄液が溜まることで、歯の洗浄対象者に不快感を与えるといった問題を回避することができる。
【００２２】
請求項７に記載の発明は、請求項６において、前記排液管から前記洗浄液を排出するための洗浄液排出装置と、前記給液管を介した前記洗浄液の単位時間当たりの供給量を測定する供給量測定装置と、前記吸引管を介した前記洗浄液の単位時間当たりの排液量を測定する排液量測定装置とを備え、前記制御装置は、前記供給量測定装置が測定した前記供給量と前記排液量測定装置が測定した前記排液量とに関する測定データを取り込み、前記供給量に対する前記排液量の割合に応じて、前記洗浄液排出装置を制御することをその要旨とする。
【００２３】
請求項７に記載の発明によると、供給量測定装置によって、給液管を介した洗浄液の単位時間当たりの供給量が測定されるとともに、排液量測定装置によって、吸引管を介した洗浄液の単位時間当たりの排液量が測定される。そして、供給量に対する排液量の割合に応じて、洗浄液排出装置が制御され、排液管から洗浄液が排出される。このようにすると、供給量に対して排液量の割合が少ない場合、洗浄液吸引排出装置のみでは洗浄液を十分に排出できないことを判定することができる。この場合、洗浄液排出装置を駆動することで、排液管を介して洗浄液を口腔外部に排出することができる。この結果、口腔内に大量の洗浄液が溜まることで、歯の洗浄対象者に不快感を与えるといった問題を回避することができる。また、供給量に対する排液量の割合がほぼ等しい場合には、口腔内の洗浄液が洗浄液吸引排出装置で確実に排出されているため、洗浄液排出装置を停止する。このように、洗浄液排出装置を必要なときのみ駆動することができ、超音波洗浄装置の消費電力を抑えつつ効率よく超音波洗浄を行うことができる。
【００２４】
請求項８に記載の発明は、口腔内における洗浄対象としての歯または義歯の表面に洗浄液を介して超音波を照射して超音波洗浄を行う方法であって、超音波伝搬体の超音波放射面を包囲するように設けられた液溜め部に洗浄液を供給し、その洗浄液を洗浄対象である歯または義歯に接触させた状態で前記洗浄対象の一方側の面と前記放射面との間に前記洗浄液を一時的に溜めるとともに、前記洗浄対象の他方側の面の側から前記洗浄液を吸引するようにして、前記超音波を照射することを特徴とする、超音波による歯または義歯の洗浄方法をその要旨とする。
【００２５】
請求項８に記載の発明によると、液溜め部に洗浄液が供給され超音波伝搬体先端の超音波放射面と洗浄対象の表面との間に洗浄液が一時的に溜められる。そして、超音波伝搬体を伝搬した超音波が液溜め部の洗浄液を介して洗浄対象の表面に照射される。この結果、洗浄対象の表面が超音波洗浄される。また、洗浄液は、洗浄対象の他方側の面の側から吸引されるので、洗浄対象である歯や義歯の隙間を通過する。このとき、洗浄液を伝搬した超音波が歯や義歯の隙間にも作用することで、洗浄対象の表面に加えて側面を効率よく洗浄することができる。
【発明の効果】
【００２６】
以上詳述したように、請求項１〜８に記載の発明によると、超音波を用いて口腔内の歯や義歯を効率よく洗浄することができる。
【図面の簡単な説明】
【００２７】
【図１】第１の実施の形態の歯科用超音波洗浄装置を示す概略構成図。
【図２】超音波洗浄方法を説明するための説明図。
【図３】超音波洗浄前後の試験片のＳＥＭ写真を示す説明図。
【図４】第２の実施の形態の歯科用超音波洗浄装置を示す概略構成図。
【図５】別の実施の形態の液溜め部及びキャップ部材を示す説明図。
【発明を実施するための形態】
【００２８】
［第１の実施の形態］
以下、本発明を歯科用超音波洗浄装置に具体化した第１の実施の形態を図面に基づき詳細に説明する。
【００２９】
図１は、本実施の形態の歯科用超音波洗浄装置１を示す概略構成図である。図１に示されるように、歯科用超音波洗浄装置１は、洗浄液供給装置２、流量コントローラ３、ハンドピース４、洗浄液吸引排出装置５、超音波発振器６及び超音波制御装置７を備えている。歯科用超音波洗浄装置１は、洗浄対象としての歯や義歯の表面に洗浄液Ｗ１（例えば、洗浄水）を介して超音波を照射して超音波洗浄を行う。
【００３０】
洗浄液供給装置２は、洗浄液Ｗ１を貯留する洗浄液タンク１１と、その洗浄液タンク１１に接続されるポンプ１２とを備える。洗浄液供給装置２は、供給配管１３を介してハンドピース４に接続されており、ポンプ１２を駆動することによって洗浄液タンク１１内の洗浄液Ｗ１をハンドピース４に供給する。
【００３１】
流量コントローラ３は、洗浄液供給装置２とハンドピース４とを接続する供給配管１３の途中に設けられており、洗浄液Ｗ１の流量を調整するための操作ツマミ１５を備えている。流量コントローラ３は、操作ツマミ１５の操作量に応じて、ハンドピース４に供給する洗浄液Ｗ１の流量を制御する。
【００３２】
ハンドピース４は、ステープラー型となるように構成された把持可能な装置本体であって、主腕部としての上ケース２１及び副腕部としての下ケース２２を備える。上ケース２１内には、超音波を発生する円板状の超音波振動子２３と、その超音波をケース先端側に伝搬する超音波ホーン２４（超音波伝搬体）が収納されている。超音波振動子２３の直径は、例えばφ３０ｍｍであり、５７ｋＨｚの周波数の超音波を出力する。超音波ホーン２４は、先端側にいくに従って先細りした形状に形成され、その先端が屈曲している。本実施の形態の超音波ホーン２４は、基端部側の中心軸に対して、ホーン先端部の角度が５°〜９０°となるように曲げられている。
【００３３】
超音波ホーン２４の先端部には、振動面（超音波放射面）２５が設けられている。また、超音波ホーン２４の先端部には、その振動面２５と洗浄対象２６（例えば歯）の表面との間に洗浄液Ｗ１を介在させるための液溜め部２７が設けられている。液溜め部２７は、透明なゴム製のカバー部材（包囲壁部材）からなり、超音波ホーン先端の振動面２５を包囲するように設けられている。液溜め部２７において、超音波ホーン２４の振動面２５と対向する部分には、洗浄液Ｗ１を洗浄対象２６と接触させるための開口部２８が設けられている。溜め部２７は、その開口部２８を塞ぐ形で洗浄対象２６に接触した状態で、洗浄対象２６の表面と振動面２５との間に洗浄液Ｗ１を一時的に溜めることができるようになっている。
【００３４】
上ケース２１内には、供給配管１３に接続された洗浄液供給チューブ３０（給液管）が超音波ホーン２４の外側面近傍に沿ってその先端側に延設されている。そして、洗浄液供給チューブ３０の先端は、超音波ホーン２４の先端部に設けられた液溜め部２７に接続されており、洗浄液供給チューブ３０の先端に設けられた給液口３１から液溜め部２７内に洗浄液Ｗ１が供給される。
【００３５】
ハンドピース４において、下ケース２２の基端部が上ケース２１に対して回動可能に連結されている。下ケース２２の先端には、開口部３２を有するゴム製のキャップ部材３３（吸液部）が配置されている。キャップ部材３３は、液溜め部２７と所定の間隔を隔てて対峙する状態で配置されている。ハンドピース４は、下ケース２２の先端のキャップ部材３３と上ケース２１の先端に設けられている液溜め部２７とで洗浄対象２６を挟み込むように構成されている。キャップ部材３３の内側には、吸液口３５を有し、超音波洗浄に使用した洗浄液Ｗ１を吸引して排出する吸引チューブ３６（吸引管）の先端が接続されている。
【００３６】
本実施の形態において、液溜め部２７及びキャップ部材３３は、１つの歯とそれと隣接する歯の一部（歯間の部分）を同時に囲むことができるサイズ（例えば、１０ｍｍ程度の幅）を有している。また、超音波ホーン２４の振動面２５から液溜め部２７の開口部２８までの距離が５ｍｍ〜２０ｍｍ以下となるよう液溜め部２７の壁面が形成されている。さらに、キャップ部材３３と液溜め部２７とで洗浄対象２６を挟み込んだ状態では、液溜め部２７が撓むことにより、超音波ホーン２４の振動面２５から洗浄対象２６の表面までの距離が３ｍｍ〜１０ｍｍ（本実施の形態では５ｍｍ程度）となる。
【００３７】
吸引チューブ３６は、下ケース２２内においてその長手方向に沿って収納されており、さらにハンドピース４の基端部に装着される吸引配管３７に接続され、その吸引配管３７を介して洗浄液吸引排出装置５に接続されている。洗浄液吸引排出装置５は、ポンプ４０と、そのポンプ４０に接続され、洗浄液Ｗ１を回収する回収容器４１とを備える。洗浄液吸引排出装置５において、ポンプ４０を駆動することにより、キャップ部材３３の開口部３２を通じてその内部に洗浄液Ｗ１を吸引し、さらにその洗浄液Ｗ１を吸引チューブ３６及び吸引配管３７を介して回収容器４１に排出する。
【００３８】
なお、洗浄液吸引排出装置５を構成するポンプ４０は真空ポンプであり、ポンプ駆動時には洗浄液吸引排出装置５の吸引圧力が大気圧以下となって、吸引配管３７及び吸引チューブ３６を介した吸引力が発生する。また、本実施の形態では、洗浄液供給装置２による洗浄液Ｗ１の供給能力よりも、洗浄液吸引排出装置５による洗浄液Ｗ１の排出能力が大きくなるように、各ポンプ１２，４０の駆動能力が設定されている。
【００３９】
上ケース２１に連結される下ケース２２の基端部には、洗浄対象２６を挟み込む際に回動される下ケース２２の回動角度を検出するための作動スイッチ４３（検知手段）が設けられている。作動スイッチ４３は、下ケース２２の回動角度が設定値以下であるときにオンするとともに、下ケース２２の回動角度が設定値を超えるときにオフする。この作動スイッチ４３は、超音波制御装置７に電気的に接続されており、その検出信号が超音波制御装置７に取り込まれるようになっている。
【００４０】
超音波発振器６は、上ケース２１内に設けられた超音波振動子２３と電気的に接続されており、所定の発振周波数の駆動信号を出力することで超音波振動子２３を駆動する。この結果、超音波振動子２３は、超音波発振器６の発振周波数に応じた超音波を発生する。なお、本実施の形態において、超音波発振器６から超音波振動子２３に供給される平均供給電力は、約８Ｗである。また、超音波発振器６の発振周波数は、５７ｋＨｚである。
【００４１】
超音波制御装置７は、ＣＰＵ４５、ＲＯＭ４６、ＲＡＭ４７等からなる周知のコンピュータにより構成されており、作動スイッチ４３の検出結果に応じて、超音波発振器６、洗浄液供給装置２及び洗浄液吸引排出装置５を制御する。
【００４２】
本実施の形態では、歯科用超音波洗浄装置１の電源として、例えば、家庭用電源（図示略）が用いられている。なお、歯科用超音波洗浄装置１の電源をバッテリ電源に変更し、家庭用電源がない場所でも超音波洗浄装置１を利用できるように構成してもよい。
【００４３】
次に、本実施の形態の歯科用超音波洗浄装置１を用いて、歯間に付着した歯垢を洗浄除去する方法について説明する。
【００４４】
作業者（具体的には、歯医者）は、ハンドピース４を片手で持って移動させ、患者の口腔内において、上ケース２１先端の液溜め部２７と下ケース２２先端のキャップ部材３３の間に洗浄対象２６（例えば、歯垢が溜まった歯間等の部位）を挟み込む（図２参照）。このとき、上ケース２１に対する下ケース２２の基端部の回動角度が設定値以下となり、作動スイッチ４３がオンする。超音波制御装置７は、その作動スイッチ４３の検出信号を取り込み、洗浄液供給装置２及び洗浄液吸引排出装置５の各ポンプ１２，４０を駆動する。この結果、洗浄液供給装置２から供給配管１３を介してハンドピース４に洗浄液Ｗ１が供給され、さらにハンドピース４内において洗浄液供給チューブ３０を介して液溜め部２７内に洗浄液Ｗ１が供給される。またこのとき、作業者は、必要に応じて流量コントローラ３の操作ツマミ１５を操作して洗浄液Ｗ１の供給量を調整する。
【００４５】
そして、ポンプ１２，４０の駆動後所定時間が経過して、液溜め部２７に十分な洗浄液Ｗ１が供給されたとき、超音波制御装置７は超音波発振器６から超音波振動子２３に駆動信号を出力させる。この結果、超音波振動子２３が振動することで５７ｋＨｚの超音波が出力される。そして、超音波ホーン２４を伝搬した超音波が、その先端部の振動面２５から洗浄液Ｗ１を介して洗浄対象２６に照射される。
【００４６】
また、液溜め部２７の開口部２８から漏れ出た洗浄液Ｗ１は、歯の隙間や歯の表面に沿って流れ、下ケース２２の先端に設けられたキャップ部材３３内に開口部３２を通じて吸引される。このとき、洗浄液Ｗ１に伝搬した超音波が歯の隙間や歯の表面に効率よく作用して歯垢などの汚れが除去される。そして、キャップ部材３３内に吸引された洗浄液Ｗ１は、吸引チューブ３６及び吸引配管３７を介して洗浄液吸引排出装置５の回収容器４１に排出される。
【００４７】
そして、使用者は所定時間（例えば、１５秒）の経過後に、ハンドピース４を操作して、上ケース２１の液溜め部２７及び下ケース２２のキャップ部材３３を洗浄対象２６から外した後、口腔内から引き出す。このとき、上ケース２１に対する下ケース２２の回動角度が設定値以上となることで作動スイッチ４３がオフする。超音波制御装置７は、その作動スイッチ４３の検出信号に基づいて、超音波発振器６を停止させるととともに、洗浄液供給装置２及び洗浄液吸引排出装置５の各ポンプ１２，４０を停止させる。以上の処理によって、洗浄対象２６としての歯の表面の超音波洗浄を完了する。
【００４８】
本発明者らは、歯科用超音波洗浄装置１によるプラーク除去効果を確認するための試験を行った。具体的には、歯科用の光重合レジンの試験片を、着脱可能な入れ歯型装置に固定し、その入れ歯型装置を被験者の口腔内で３日間保持することで、試験片の表面にプラークを形成させた。その後、歯科用超音波洗浄装置１を用いて、プラークを形成させた試験片の表面を超音波洗浄し、その洗浄効果を確認した。ここで、超音波洗浄の条件としては、超音波ホーン２４の振動面２５と試験片の表面との距離を５ｍｍに保ち、８Ｗの供給電力で５７ｋＨｚの超音波を１５秒間照射した。そして、洗浄前後の試験片の表面を走査型電子顕微鏡（ＳＥＭ）で観察した。その観察結果を図３に示している。なお、図３に示すＳＥＭ写真において、（ａ）はプラーク形成前の試験片４９、（ｂ）はプラーク形成後の試験片４９、（ｃ）は超音波洗浄後の試験片４９である。図３（ａ）〜（ｃ）に示されるように、超音波洗浄によって、試験片４９に付着したプラークが完全に除去されることを確認することができた。
【００４９】
従って、本実施の形態によれば以下の効果を得ることができる。
【００５０】
（１）本実施の形態の歯科用超音波洗浄装置１では、洗浄液供給チューブ３０を介して液溜め部２７に洗浄液Ｗ１が供給され超音波ホーン２４の振動面２５と洗浄対象２６の表面との間に洗浄液Ｗ１が一時的に溜められる。そして、超音波振動子２３から発生された超音波は、超音波ホーン２４を伝搬してその先端の振動面２５から出力され、さらに液溜め部２７の洗浄液Ｗ１を介して洗浄対象２６の表面に照射される。この結果、洗浄対象２６の表面が超音波洗浄される。また、洗浄液Ｗ１は、洗浄対象２６としての歯の隙間を通過し、その裏側に配置されたキャップ部材３３の開口部３２から吸引されて吸引チューブ３６を介して口腔外部に排出される。このとき、洗浄液Ｗ１を伝搬した超音波が歯の隙間等にも作用することで、洗浄対象２６の表面に加えて側面を効率よく洗浄することができる。さらに、歯の隙間を流れる洗浄液Ｗ１の水圧によって表面の汚れを除去して洗浄することができる。
【００５１】
（２）本実施の形態の歯科用超音波洗浄装置１では、上ケース２１先端の液溜め部２７と下ケース２２先端のキャップ部材３３との間に洗浄対象２６を挟み込んだ状態で超音波洗浄が行われる。この場合、洗浄対象２６に対して液溜め部２７を所定の力で抑え付けた場合でも、反対方向からキャップ部材３３によりその力を支えることができる。このため、洗浄対象２６に一方向から力が作用して洗浄対象２６が移動してしまうといった問題を回避することができる。また、本実施の形態のハンドピース４は、下ケース２２の基端部を上ケース２１に対して回動可能に連結したステープラー型となるように構成されている。この場合、歯医者などの作業者がハンドピース４を片手で持って下ケース２２を回動させることにより、液溜め部２７とキャップ部材３３との間に洗浄対象２６を容易に挟み込むことができる。このため、超音波洗浄装置１の操作性が向上され、洗浄作業を迅速に行うことができる。
【００５２】
（３）本実施の形態の歯科用超音波洗浄装置１では、洗浄対象２６を挟み込む際の下ケース２２の回動角度が作動スイッチ４３によって検出され、その検出結果が超音波制御装置７に出力される。そして、下ケース２２の回動角度が設定値以下であるときに、洗浄液供給装置２、超音波発振器６及び洗浄液吸引排出装置５が動作される。一方、下ケース２２の回動角度が設定値を超えたときには、洗浄液供給装置２、超音波発振器６及び洗浄液吸引排出装置５が停止される。この場合、キャップ部材３３と液溜め部２７とによって洗浄対象２６を挟み込んだときに、超音波洗浄を迅速に行うことができる。また、洗浄対象２６の挟み込みが解除されたときには、超音波洗浄を迅速に停止することができる。このようにすると、洗浄対象２６を挟み込む前に誤って洗浄装置１を動作させることがなく、無駄な消費電力や洗浄液の使用量を抑えることができる。さらに、洗浄対象２６以外の部位に超音波が照射されるといった問題も回避することができる
【００５３】
（４）本実施の形態の歯科用超音波洗浄装置１では、液溜め部２７が超音波ホーン２４の振動面２５を包囲するよう設けられており、振動面２５が洗浄対象２６に直接接触しないように構成されている。具体的には、洗浄対象２６を挟み込んだ状態で、振動面２５と洗浄対象２６の表面との距離が５ｍｍ程度確保されるので、振動面２５が洗浄対象２６に接触して洗浄対象２６にダメージを与えるといった問題を回避することができる。また、液溜め部２７とキャップ部材３３とがゴム製の弾性部材からなるので、洗浄対象２６を挟み込む際にその表面に傷をつけることがなく、洗浄対象２６に対して超音波ホーン２４の振動面２５を確実に固定することができる。
【００５４】
（５）本実施の形態の歯科用超音波洗浄装置１では、液溜め部２７が包囲壁部材からなるので、従来技術のようにブラシの隙間から洗浄液が漏れ出ることなく、振動面２５と洗浄対象２６の表面との間に洗浄液Ｗ１を確実に溜めることができる。また、液溜め部２７が透明なゴム製の部材であるので、液溜め部２７内において、振動面２５と洗浄対象２６の表面との間に洗浄液Ｗ１が介在していることを容易に確認することができる。
【００５５】
（６）本実施の形態の歯科用超音波洗浄装置１では、超音波ホーン２４の先端が曲がっているので、その先端に設けられた振動面２５を洗浄対象２６の表面に対向させることができ、超音波をその表面に確実に作用させることができる。
【００５６】
（７）本実施の形態の歯科用超音波洗浄装置１では、洗浄液供給装置２による洗浄液Ｗ１の供給能力よりも洗浄液吸引排出装置５による洗浄液Ｗ１の排出能力の方が大きい。この場合、超音波洗浄時において、口腔内に洗浄液Ｗ１が溜まることがなく、洗浄液Ｗ１を確実に排出することができる。
【００５７】
（８）本実施の形態の歯科用超音波洗浄装置１では、超音波制御装置７は、洗浄液供給装置２の駆動タイミングよりも遅らせたタイミングで超音波発振器６を駆動するようにしている。この場合、液溜め部２７に洗浄液Ｗ１が確実に溜まった後に超音波が出力される。このようにすると、超音波の空焚きを確実に防止することができ、超音波洗浄を効率よく確実に行うことができる。
［第２の実施の形態］
【００５８】
次に、本発明を具体化した第２の実施の形態を図面に基づき説明する。本実施の形態の歯科用超音波洗浄装置１Ａは、液溜め部２７内の洗浄液Ｗ１を排出するための構成を有する点が上記第１の実施の形態と異なる。洗浄対象２６となる歯の隙間が狭くなる場合、その隙間を通じてキャップ部材３３側に洗浄液Ｗ１が流れ難くなる。この場合、キャップ部材３３側から吸引チューブ３６を介して洗浄液Ｗ１を十分に排出できなくなる。本実施の形態では、そのような場合に、液溜め部２７側から洗浄液Ｗ１を排出するように構成している。
【００５９】
具体的には、図４に示されるように、本実施の形態の歯科用超音波洗浄装置１Ａにおいて、上ケース２１内において、排液チューブ５１（排液管）が超音波ホーン２４の外側面近傍に沿ってその先端側に延設されており、チューブ先端が液溜め部２７に接続されている。そして、排液チューブ５１先端の排液口５２が液溜め部２７内にて開口している。また、排液チューブ５１の基端側は、洗浄液排出装置５５に接続されており、その洗浄液排出装置５５のポンプ（図示略）を駆動することにより、排液チューブ５１の排液口５２から液溜め部２７内の洗浄液Ｗ１が吸引されるよう構成されている。さらに、ハンドピース４に洗浄液Ｗ１を供給する供給配管１３の途中に供給量測定装置５６（例えば、超音波流量計）が設けられている。供給量測定装置５６は、所定時間において供給配管１３を介して液溜め部２７に供給される洗浄液Ｗ１の単位時間当たりの供給量を測定し、その供給量に応じた測定データを超音波制御装置７に送信する。また、ハンドピース４から洗浄液吸引排出装置５に洗浄液Ｗ１を排出する吸引配管３７の途中には排液量測定装置５７（例えば、超音波流量計）が設けられている。排液量測定装置５７は、所定時間において吸引配管３７を介して排出される洗浄液Ｗ１の単位時間当たりの排液量を計測し、その排液量に応じた測定データを超音波制御装置７に送信する。
【００６０】
超音波制御装置７は、供給量に対する排液量の割合に応じて、洗浄液排出装置５５を制御する。具体的には、供給量よりも排液量が少ない場合には、キャップ部材３３の開口部３２から吸引チューブ３６を介して洗浄液Ｗ１を十分に排出することができず、口腔内に洗浄液Ｗ１が溜まってしまう。この場合には、洗浄液吸引排出装置５に加えて洗浄液排出装置５５を駆動して、液溜め部２７側の排液口５２から排液チューブ５１を介して洗浄液Ｗ１を排出する。このように、洗浄液吸引排出装置５及び洗浄液排出装置５５の２つの排出装置を駆動することにより、十分な排液量が確保されるため、口腔内に洗浄液Ｗ１が溜まることがない。この結果、口腔内に大量の洗浄液Ｗ１が溜まることで、歯の洗浄対象者に不快感を与えるといった問題が回避される。
【００６１】
また、供給量に対する排液量の割合がほぼ等しい場合には、口腔内の洗浄液Ｗ１が洗浄液吸引排出装置５で確実に排出されているため、洗浄液排出装置５５を停止する。このように、本実施の形態では、洗浄液排出装置５５を必要なときのみ駆動することができ、歯科用超音波洗浄装置１Ａの消費電力を抑えつつ効率よく超音波洗浄を行うことができる。
【００６２】
なお、本発明の各実施の形態は以下のように変更してもよい。
【００６３】
・上記各実施の形態の歯科用超音波洗浄装置１，１Ａでは、ハンドピース４は、上ケース２１と下ケース２２とで洗浄対象２６を挟み込む構成としたが、これに限定されるものではない。例えば、下ケース２２を省略し、上ケース２１の下部から吸液管を伸ばし、その吸液管の先端に設けた給液部を液溜め部２７と対峙する状態で配置する構成としてもよい。またこの場合、バネなどの付勢力を利用して、吸液管の吸液部と液溜め部２７とで洗浄対象２６を挟み込む構成としてもよい。
【００６４】
・上記各実施の形態の歯科用超音波洗浄装置１，１Ａでは、下ケース２２の基端部に設けた作動スイッチ４３によって、洗浄対象２６を挟み込んだことを検出し、洗浄液供給装置２や超音波発振器６等を制御するものであったが、これに限定されるものではない。洗浄対象２６の挟み込みを検出する検知手段として、例えば、液溜め部２７またはキャップ部材３３（下ケース２２の先端）に加わる荷重を検出する圧力センサを設けてもよい。また、他の検知手段として、洗浄対象２６によって検知光が遮られたか否かを検出するための光センサを設けてもよい。
【００６５】
・上記各実施の形態の歯科用超音波洗浄装置１，１Ａでは、洗浄対象２６を挟み込んだときに超音波洗浄を行うものであったが、洗浄対象２６の挟み込みとは関係なく、別に設けた処理開始用のスイッチによって超音波洗浄を行うように構成してもよい。具体的には、例えば、脚でオン・オフ操作するフットスイッチを別途設け、そのフットスイッチによって超音波発振器６を駆動し、超音波振動子２３から出力する超音波の照射タイミングや照射時間を調整するように構成してもよい。また、ハンドピース４に給水スイッチを設け、その給水スイッチによって、洗浄液Ｗ１の供給タイミングを調整するように構成してもよい。さらに、フットスイッチや給水スイッチがオンしていることを条件とし、洗浄対象２６を挟み込んだとき（作動スイッチ４３がオンしたとき）に超音波洗浄を行うように構成してもよい。
【００６６】
・超音波発振器６に超音波の出力モード（連続モード、バーストモード）を切り替えるモード切り替えスイッチを設け、超音波洗浄時における超音波の出力モードを切り換え可能に構成してもよい。この構成において、超音波の出力モードとして連続モードが選択された場合、超音波振動子２３が連続的に駆動され、バーストモードが選択された場合には、超音波振動子２３が間歇的に駆動される。このようにすると、洗浄対象２６の汚れ具合に応じた出力モードで超音波洗浄を効率よく行うことができる。
【００６７】
・上記各実施の形態の歯科用超音波洗浄装置１，１Ａでは、超音波ホーン２４の外側面近傍に設けた洗浄液供給チューブ３０を通して液溜め部２７に洗浄液Ｗ１を供給するよう構成したが、これに限定されるものではない。例えば、超音波振動子２３や超音波ホーン２４の軸心となる位置に洗浄液Ｗ１の給液管を設け、その給液管を通じて液溜め部２７に洗浄液Ｗ１を供給するよう構成してもよい。
【００６８】
・上記各実施の形態の洗浄液供給装置２において、洗浄液Ｗ１に炭酸ガス（ＣＯ２）をバブリングするバブリング装置をさらに設けてもよい。このように、洗浄液Ｗ１に炭酸ガスをバブリングすると、洗浄液Ｗ１中の空気が抜けて炭酸ガスに置換される。この場合、洗浄液Ｗ１中において超音波の照射によるＯＨラジカル（ヒドロキシラジカル）の生成を抑制することができる。一般に、洗浄液Ｗ１に強力な超音波を照射すると、キャビテーションが発生し、その圧縮、崩壊過程で高温の反応場が生成される。このキャビテーションの温度は、溶存しているガスの種類によって異なり、単原子、２原子のガスの場合よりも炭素ガスのような３原子ガスのほうが低くなる。このように、洗浄液Ｗ１中において炭酸ガスを含ませることでＯＨラジカルが生成され難くなり、ＯＨラジカルによる分解反応（化学反応）が抑制される。なお、炭酸ガスの他に笑気ガス（Ｎ２Ｏ）のような３原子ガスを用いてＯＨラジカルの生成を抑えるようにしてもよい。
【００６９】
・上記各実施の形態の歯科用超音波洗浄装置１，１Ａでは、専用の洗浄液吸引排出装置５や洗浄液排出装置５５を備えるものであったが、これに限定されるものではない。例えば、歯科治療ユニットには、バキューム装置や電動ポンプ式吸引管が設けられている。このバキューム装置や電動ポンプ式吸引管にハンドピース４の吸引チューブ３６や排液チューブ５１を接続して超音波洗浄装置１，１Ａを構成してもよい。また、病院の入院ベッドには、吸引用配管が設置されたものも実用化されている。この吸引用配管に吸引チューブ３６や排液チューブ５１を接続して、超音波洗浄装置１，１Ａを構成してもよい。このように、既存の設備を利用して超音波洗浄装置１，１Ａを構成することにより、装置コストを低減することが可能となる。
【００７０】
・上記第２の実施の形態の歯科用超音波洗浄装置１Ａでは、洗浄液吸引排出装置５と洗浄液排出装置５５との２つの排出装置を設けていたが、１つの洗浄液排出装置に共通化してもよい。例えば、液溜め部２７の洗浄液Ｗ１を排出するための排液チューブ５１の基端側を、図示しない開閉バルブを介して吸引配管３７に接続する。そして、その開閉バルブを開くことで、液溜め部２７の洗浄液Ｗ１を排液チューブ５１及び吸引配管３７を介して洗浄液吸引排出装置５に排出するように構成してもよい。
【００７１】
・上記第２の実施の形態の歯科用超音波洗浄装置１Ａでは、液溜め部２７内に排液チューブ５１の排液口５２を配置していたが、その排液口５２を液溜め部２７の近傍に配置する構成としてもよい。
【００７２】
・上記各実施の形態の歯科用超音波洗浄装置１，１Ａでは、液溜め部２７は、透明なゴムを用いて形成されていたが、これに限定されるものではなく、有色の可撓性樹脂を用いて形成されるものでもよい。また、キャップ部材３３もゴム製であったが、液溜め部２７と同じ可撓性樹脂を用いて形成されるものでもよい。
【００７３】
・図５に示されるように、液溜め部２７Ａ及びキャップ部材３３Ａは、隣接する複数の歯（例えば、２本以上の歯）を同時に囲むことができる大きさを有していてもよい。このようにすると、洗浄対象２６としての複数の歯を同時に超音波洗浄することができ、洗浄効率を高めることができる。
【００７４】
・上記各実施の形態の歯科用超音波洗浄装置１，１Ａにおいて、超音波発振器６の発振周波数は、５７ｋＨｚであったが、これに限定されるものではなく、超音波洗浄を効率よく行える周波数帯域（２０ｋＨｚ〜１ＭＨｚ）であれば適宜変更してもよい。
【００７５】
・上記各実施の形態の歯科用超音波洗浄装置１，１Ａにおいて、超音波伝搬体として、先端側にいくに従って先細りした形状を有しその先端が屈曲している超音波ホーン２４を用いたが、これに限定されるものではない。例えば、幅が等しく形成され、屈曲していない棒状の超音波ホーンを超音波伝搬体として用いてもよい。この場合、棒状の超音波ホーンの先端には、ホーン中心軸に対して所定角度（例えば、１００°〜１７０°の角度）で傾斜した超音波放射面を形成する。また、超音波振動子の焦点位置よりも遠い位置に、超音波放射面を形成する。このような構成とすることにより、１ＭＨｚ程度の比較的高い超音波を用いることが可能となり、均一かつソフトな超音波強度で歯の超音波洗浄を行うことができる。
【００７６】
次に、特許請求の範囲に記載された技術的思想のほかに、前述した各実施の形態によって把握される技術的思想を以下に列挙する。
【００７７】
（１）請求項１乃至７のいずれか１項において、前記液溜め部は、可撓性樹脂製の部材からなることを特徴とする歯科用超音波洗浄装置。
【００７８】
（２）請求項１乃至７のいずれか１項において、前記液溜め部は、可撓性樹脂製の包囲壁部材からなることを特徴とする歯科用超音波洗浄装置。
【００７９】
（３）請求項１乃至７のいずれか１項において、前記液溜め部は、透明なゴム製の包囲壁部材からなることを特徴とする歯科用超音波洗浄装置。
【００８０】
（４）請求項１乃至７のいずれか１項において、前記吸液部は、開口部を有するゴム製のキャップ部材であることを特徴とする歯科用超音波洗浄装置。
【００８１】
（５）請求項１乃至７のいずれか１項において、前記洗浄対象としての歯または義歯が複数であり、前記液溜め部は、隣接する複数の歯または複数の義歯を同時に囲うことができる大きさを有することを特徴とする歯科用超音波洗浄装置。
【００８２】
（６）請求項１乃至７のいずれか１項において、前記洗浄対象としての歯または義歯が複数であり、前記吸液部としてのゴム製のキャップ部材は、隣接する複数の歯または複数の義歯を同時に囲うことができる大きさを有することを特徴とする歯科用超音波洗浄装置。
【００８３】
（７）請求項１乃至７のいずれか１項において、前記超音波伝搬体の先端が５°から９０°の角度で屈曲していることを特徴とする歯科用超音波洗浄装置。
【００８４】
（８）請求項１乃至７のいずれか１項において、前記超音波伝搬体の超音波放射面から前記洗浄対象までの距離が３ｍｍ以上１０ｍｍ以下であることを特徴とする歯科用超音波洗浄装置。
【００８５】
（９）技術的思想（２）または（３）において、前記超音波伝搬体の超音波放射面から前記包囲壁部材の開口部までの距離が５ｍｍ以上２０ｍｍ以下であることを特徴とする歯科用超音波洗浄装置。
【００８６】
（１０）請求項３において、前記超音波発振器の発振周波数が２０ｋＨｚから１ＭＨｚであることを特徴とする歯科用超音波洗浄装置。
【００８７】
（１１）請求項３において、前記洗浄液吸引排出装置の吸引圧力は、大気圧以下であることを特徴とする歯科用超音波洗浄装置。
【００８８】
（１２）請求項３において、前記洗浄液供給装置による前記洗浄液の供給能力よりも前記洗浄液吸引排出装置による前記洗浄液の排出能力の方が大きいことを特徴とする歯科用超音波洗浄装置。
【００８９】
（１３）請求項７において、前記制御装置は、前記供給量よりも前記排液量が少ないときに前記洗浄液排出装置を駆動することを特徴とする歯科用超音波洗浄装置。
【００９０】
（１４）請求項３において、作業者によって操作される処理開始用のスイッチを備え、前記制御装置は、前記スイッチの操作に基づいて、前記超音波発振器、前記洗浄液供給装置、及び前記洗浄液吸引排出装置を制御することを特徴とする歯科用超音波洗浄装置。
【００９１】
（１５）請求項３において、前記制御装置は、前記洗浄液供給装置の駆動タイミングよりも遅らせたタイミングで前記超音波発振器を駆動することを特徴とする歯科用超音波洗浄装置。
【００９２】
（１６）請求項３において、前記検知手段は、前記液溜め部または前記副腕部の先端に加わる荷重を検出する圧力センサであることを特徴とする歯科用超音波洗浄装置。
【００９３】
（１７）請求項３において、前記検知手段は、前記洗浄対象によって検知光が遮られたか否かを検出するための光センサであることを特徴とする歯科用超音波洗浄装置。
【符号の説明】
【００９４】
１，１Ａ…歯科用超音波洗浄装置
２…洗浄液供給装置
４…ハンドピース
５…洗浄液吸引排出装置
６…超音波発振器
７…制御装置としての超音波制御装置
２１…主腕部としての上ケース
２２…副腕部としての下ケース
２３…超音波振動子
２４…超音波伝搬体としての超音波ホーン
２５…超音波放射面としての振動面
２７，２７Ａ…液溜め部
２８…開口部
３０…給液管としての洗浄液供給チューブ
３３…吸液部としてのキャップ部材
３６…吸引管としての吸引チューブ
４３…検知手段としての作動スイッチ
５１…排液管としての排液チューブ
５２…排液口
５５…洗浄液排出装置
５６…供給量測定装置
５７…排液量測定装置
Ｗ１…洗浄液
【図１】
2013179842.tif 000003
【図２】
2013179842.tif 000004
【図４】
2013179842.tif 000005
【図５】
2013179842.tif 000006
【図３】
2013179842.tif 000007
【国際調査報告】
2013179842.tif 000008
2013179842.tif 000009
2013179842.tif 000010
2013179842.tif 000011
2013179842.tif 000012
2013179842.tif 000013